(57)【要約】【課題】被取付物の運搬時や保管時には厚みが薄くなる状態に変形し、送受信時には金属面との間に充分な間隔を確保する状態に復元し得るＲＦＩＤタグを提供する。【解決手段】金属製の被取付物７の外面９に取付けられる取付板部４と、ＲＦＩＤインレット２を担持する非金属製の担持板部５と、該担持板部５を前記取付板部４から所定間隔で離間させて保持し、かつ圧縮変形すると弾発力を生じる少なくとも一対の復元スペーサー板部６とからなるインレット保持体３を備えた構成とした。これにより、担持板部５の表面側からの外力によって復元スペーサー板部６が圧縮変形すると、担持板部５が取付板部４に近接する退避状態となる一方、外力が除かれると、圧縮変形した復元スペーサー板部６に生じている弾発力によって担持板部５が取付板部４から所定間隔で離間する定常状態に復帰させることができる。【選択図】図２
2010262538.tif 000002
【特許請求の範囲】
【請求項１】
データを書き換え可能に格納するメモリを具備したＩＣチップと、該ＩＣチップに接続されたアンテナとを備え、前記データを所定の入出力装置と非接触で送受信する機能を備えたＲＦＩＤインレットと、
金属製の被取付物の外面に取付けられる取付板部と、ＲＦＩＤインレットを担持する非金属製の担持板部と、該担持板部を前記取付板部から所定間隔で離間させて保持し、かつ圧縮変形すると弾発力を生じる少なくとも一対の復元スペーサー板部とからなり、担持板部の表面側からの外力によって復元スペーサー板部が圧縮変形すると担持板部が取付板部に近接する退避状態となり、外力が除かれると、圧縮変形した復元スペーサー板部に生じている弾発力によって担持板部が取付板部から所定間隔で離間して定常状態に復帰するインレット保持体と
を備えてなることを特徴とするＲＦＩＤタグ。
【請求項２】
復元スペーサー板部が、弾性を有する合成樹脂または合成ゴムからなることを特徴とする請求項１記載のＲＦＩＤタグ。
【請求項３】
インレット保持体の側部を覆う弾性変形可能な非金属製の保護カバー体を備えていることを特徴とする請求項１又は請求項２に記載のＲＦＩＤタグ。
【請求項４】
担持板部を取付板部から離間させる方向に付勢し、かつ定常状態に復帰させるばねからなる補助付勢手段を備えていることを特徴とする請求項１乃至請求項３の何れか１項に記載のＲＦＩＤタグ。
【請求項５】
担持板部を退避状態に保持するストッパーを備えていることを特徴とする請求項１乃至請求項４の何れか１項に記載のＲＦＩＤタグ。
【発明の詳細な説明】
【技術分野】
【０００１】
本発明は、金属製の被取付物に取付けて使用するＲＦＩＤタグに関する。
【背景技術】
【０００２】
ＲＦＩＤ（Radio Frequency Identification）システムで用いられる非接触型ＩＣタグ等のＲＦＩＤタグは、ＩＣチップとアンテナとを備えてなり、入出力装置（リーダ・ライタ）との間で電磁波を利用して非接触でコマンド，データ等の信号を送受信し得る機能がある。このＲＦＩＤタグは、入出力装置側のアンテナが放射する有効電磁波ゾーンに進入すると、ＲＦＩＤタグのアンテナが誘導起電力を生成し、該電力により動作状態となって入出力装置からのコマンド，データ等の信号を検出するとともに、そのコマンド信号に従ってＩＣチップが具備するデータの読み書きが可能なメモリに受信データを格納したり、メモリに格納されているデータを入出力装置に送信するものであり、小型軽量で取扱い性に優れているため、近年、交通・レジャー分野，物流分野，セキュリティー分野，工場生産分野，環境分野，その他の幅広い分野で導入が進められている。
【０００３】
このようなＲＦＩＤタグは、金属製の被取付物に直接取付けると、送受信機能が極端に低下したり、送受信不能となることが知られている。そこで、従来はＲＦＩＤタグの裏面に合成樹脂やゴムからなる非金属製のスペーサを配設し、該スペーサを介してＲＦＩＤタグを金属製の被取付物に取付けることにより、ＲＦＩＤタグのアンテナと金属面とを離間させて送受信機能の低下を抑制するようにしていた（例えば、特許文献１参照）。
【先行技術文献】
【特許文献】
【０００４】
【特許文献１】特開２００９−９２０５号公報（「０００４」、図５）
【発明の概要】
【発明が解決しようとする課題】
【０００５】
ところで、上記のようにスペーサを用いる場合、送受信機能の低下を抑制するためには、スペーサの厚みを大きくしてＲＦＩＤタグのアンテナと金属面との間に充分な間隔を確保する必要があるが、スペーサの厚みを大きくすると該スペーサを含むＲＦＩＤタグ全体のサイズが大きくなり、これが被取付物の外面から突出するため、被取付物の運搬時や保管時に嵩張ってしまうという問題点があった。
【０００６】
本発明は、かかる問題点を解決するためになされたものであり、被取付物の運搬時や保管時には厚みが薄くなる状態に変形し、送受信時には金属面との間に充分な間隔を確保する状態に復元し得るＲＦＩＤタグを提供することを目的とするものである。
【課題を解決するための手段】
【０００７】
本発明は、データを書き換え可能に格納するメモリを具備したＩＣチップと、該ＩＣチップに接続されたアンテナとを備え、前記データを所定の入出力装置と非接触で送受信する機能を備えたＲＦＩＤインレットと、金属製の被取付物の外面に取付けられる取付板部と、ＲＦＩＤインレットを担持する非金属製の担持板部と、該担持板部を前記取付板部から所定間隔で離間させて保持し、かつ圧縮変形すると弾発力を生じる少なくとも一対の復元スペーサー板部とからなり、担持板部の表面側からの外力によって復元スペーサー板部が圧縮変形すると担持板部が取付板部に近接する退避状態となり、外力が除かれると、圧縮変形した復元スペーサー板部に生じている弾発力によって担持板部が取付板部から所定間隔で離間して定常状態に復帰するインレット保持体とを備えてなることを特徴とするＲＦＩＤタグである。
【０００８】
ここで、ＲＦＩＤインレットは、ＩＣチップとアンテナとを合成樹脂シート上に担持して構成したり、ＩＣチップとアンテナとを合成樹脂シート上に担持し、これを合成樹脂の外装体で被覆して構成され得る。
【０００９】
前記ＲＦＩＤタグにあって、復元スペーサー板部が、弾性を有する合成樹脂または合成ゴムからなる構成が提案される。
【００１０】
また、インレット保持体の側部を覆う弾性変形可能な非金属製の保護カバー体を備えている構成が提案される。
【００１１】
また、担持板部を取付板部から離間させる方向に付勢し、かつ定常状態に復帰させるばねからなる補助付勢手段を備えている構成が提案される。
【００１２】
さらに、担持板部を退避状態に保持するストッパーを備えている構成が提案される。
【発明の効果】
【００１３】
本発明は、上述したように、データを書き換え可能に格納するメモリを具備したＩＣチップと、該ＩＣチップに接続されたアンテナとを備え、前記データを所定の入出力装置と非接触で送受信する機能を備えたＲＦＩＤインレットと、金属製の被取付物の外面に取付けられる取付板部と、ＲＦＩＤインレットを担持する非金属製の担持板部と、該担持板部を前記取付板部から所定間隔で離間させて保持し、かつ圧縮変形すると弾発力を生じる少なくとも一対の復元スペーサー板部とからなり、担持板部の表面側からの外力によって復元スペーサー板部が圧縮変形すると担持板部が取付板部に近接する退避状態となり、外力が除かれると、圧縮変形した復元スペーサー板部に生じている弾発力によって担持板部が取付板部から所定間隔で離間して定常状態に復帰するインレット保持体とを備えてなるＲＦＩＤタグであるから、インレット保持体の取付板部を金属製の被取付物の外面に取付けることにより、ＲＦＩＤインレットを担持する非金属製の担持板部を被取付物の外面から所定間隔で離間させて保持することができる。このような担持板部が金属製の被取付物の外面から所定間隔で離間して保持される定常状態にあっては、ＲＦＩＤインレットと金属面との間に所定の間隔が確保されて送受信機能の低下が抑制されるため、ＲＦＩＤインレットによるデータの送受信を支障なく行わせることができる。一方、被取付物の運搬時や保管時においては、ＲＦＩＤタグが取付けられた被取付物の外面を、ＲＦＩＤタグを介して他の被取付物の外面やトラックの荷台の壁面或いは建造物の壁面に押し当てると、担持板部の表面側から加わる外力によって復元スペーサー板部が圧縮変形し、担持板部が取付板部に近接する退避状態となる。これによりＲＦＩＤタグの厚みが薄くなり被取付物の外面からの突出幅が小さくなるため、ＲＦＩＤタグの厚さに起因する被取付物の嵩張りを解消することができる。また、外力が除かれると、圧縮変形した復元スペーサー板部に生じている弾発力によって、担持板部が取付板部から所定間隔で離間する定常状態に自動的に復帰させることができる。
【００１４】
前記ＲＦＩＤタグにあって、復元スペーサー板部が、弾性を有する合成樹脂または合成ゴムからなる構成にあっては、復元スペーサー板部に良好な圧縮変形作用と、その圧縮変形による良好な弾発力発生作用を生じさせることができる。
【００１５】
また、インレット保持体の側部を覆う弾性変形可能な非金属製の保護カバー体を備えている構成にあっては、退避状態と定常状態とに変化するインレット保持体の状態変化に保護カバー体をその弾性変形作用を介して追従させることができ、該保護カバー体によって、インレット保持体に側方から加わる衝撃と、インレット保持体内への異物の侵入とを防止することができるとともに、担持板部に担持されたＲＦＩＤインレットを保護することができる。
【００１６】
また、担持板部を取付板部から離間させる方向に付勢し、かつ定常状態に復帰させるばねからなる補助付勢手段を備えている構成にあっては、該補助付勢手段によって担持板部を退避状態から定常状態へ迅速かつ確実に復帰させることができる。
【００１７】
さらに、担持板部を退避状態に保持するストッパーを備えている構成にあっては、被取付物の運搬時や保管時以外でも、ＲＦＩＤインレットによるデータの送受信を行う必要がないときには、ストッパーによって担持板部を退避状態に保持することにより、ＲＦＩＤタグが被取付物の外面から大きく突出しないため、定常状態において被取付物の外面から突出したＲＦＩＤタグが周辺のものと衝突することによって発生するＲＦＩＤタグの脱落或いは破損や故障を未然に防止することができる。
【図面の簡単な説明】
【００１８】
【図１】第一実施例にかかるＲＦＩＤタグ１Ａの外観斜視図である。
【図２】被取付物７の外面９に取付けられたＲＦＩＤタグ１Ａを示し、（Ａ）は定常状態、（Ｂ）は退避状態の縦断面図である。
【図３】ＲＦＩＤタグ１Ａの使用時における作用説明図である。
【図４】第一実施例の第一の変形実施例にかかるＲＦＩＤタグ１Ａの外観斜視図である。
【図５】第一実施例の第二の変形実施例にかかるＲＦＩＤタグ１Ａを示し、（Ａ）は外観斜視図、（Ｂ）は被取付物７の外面９に取付けた状態の縦断面図である。
【図６】第一実施例の第三の変形実施例にかかるＲＦＩＤタグ１Ａを示し、一対の弾性枠体１０Ａ，１０Ａによって取付板部４と復元スペーサー板部６とを構成した状態の外観斜視図である。
【図７】第一実施例の第四の変形実施例にかかるＲＦＩＤタグ１Ａを示し、（Ａ）は一対の弾性体１０Ｂ，１０Ｂによって取付板部４と復元スペーサー板部６とを構成した状態の外観斜視図、（Ｂ）は各弾性体１０Ｂの矩形状底板部分１２に取付板部４を配設した状態の外観斜視図である。
【図８】第二実施例にかかるＲＦＩＤタグ１Ｂを示し、インレット保持体３と保護カバー体１３とを分離した状態の外観斜視図である。
【図９】（Ａ）は同上のＲＦＩＤタグ１Ｂの定常状態の縦断面図、（Ｂ）は退避状態の縦断面図である。
【図１０】第三実施例にかかるＲＦＩＤタグ１Ｃを示し、（Ａ）は平面図、（Ｂ）は縦断面図である。
【図１１】第四実施例にかかるＲＦＩＤタグ１Ｄを示し、（Ａ）は外観斜視図、（Ｂ）は退避状態の縦断面図である。
【発明を実施するための形態】
【００１９】
以下に、本発明の第一実施例を、図１〜図３に基づいて説明する。
ＲＦＩＤタグ１Ａは、ＲＦＩＤインレット２と、該ＲＦＩＤインレット２を保持するインレット保持体３とを備えている。
【００２０】
ＲＦＩＤインレット２は、ＩＣチップと、該ＩＣチップに電気的に接続されたアンテナとを備えており、該ＩＣチップとアンテナとが合成樹脂製の絶縁シート上に配設されている。このＲＦＩＤインレット２は、図示しない入出力装置（リーダ・ライタ）との間で電磁波を利用してコマンド，データ等の信号を非接触で送受信し得る非接触型の電池レスタイプとなっている。尚、ＲＦＩＤインレット２は、ＩＣチップとアンテナとを絶縁シート上に配設し、これを合成樹脂の外装体で被覆したものであってもよい。また、ＲＦＩＤインレット２は、ＨＦ帯域（例えば13.56MHz），ＵＨＦ帯域（例えば953MHzや2.45GHz）等の何れの帯域で作動するものであってもよい。
【００２１】
インレット保持体３は、金属製の被取付物７（図２参照）の外面９に取付けられる取付板部４と、前記ＲＦＩＤインレット２を担持する非金属製の担持板部５と、該担持板部５を前記取付板部４から所定間隔で離間させて保持し、かつ圧縮変形すると弾発力を生じる復元スペーサー板部６とからなる。
【００２２】
前記担持板部５は、硬質合成樹脂、弾性を有する合成樹脂または合成ゴムを用いて平板矩形状に形成されており、該担持板部５の裏面にＲＦＩＤインレット２が接着剤または粘着テープにより固定されて担持されている。一方、前記取付板部４は、硬質合成樹脂、弾性を有する合成樹脂または合成ゴム或いは金属板を用いて担持板部５と同一形状に形成されており、その裏面に設けられた粘着層８（図２参照）によって前記被取付物７の外面９に取付けられるようになっている。この粘着層８には剥離紙（図示省略）が剥離可能に被着されており、被取付物７の外面９に取付けられるまでの間、該剥離紙によってその粘着面が保護されている。尚、粘着層８は、取付板部４の裏面に粘着剤を塗布して設けたり、両面粘着テープを貼着することによって設けられ得る。また、この粘着層８に代えて、取付板部４に磁石を配設し、該磁石の磁力によって金属製の被取付物７の外面９に吸着させるようにしてもよい。さらに、取付板部４を鉄板等の強磁性体で形成した場合には、該強磁性体に着磁処理を施してもよい。
【００２３】
復元スペーサー板部６は、前記取付板部４と担持板部５間に設けられており、この第一実施例では、取付板部４と担持板部５の上下で対向する各辺縁を繋ぐようにして、側部の四箇所に夫々配設されている。各復元スペーサー板部６は、弾性を有する合成樹脂または合成ゴムの板状体によって、外方に突出する断面く字形に形成されている。ここで、弾性を有する合成樹脂としては、ポリエチレンテレフタレート（ＰＥＴ），ポリプロピレン（ＰＰ），ポリアセタール（ＰＯＭ），ポリカーボネート（ＰＣ），ポリブチレンテレフタレート（ＰＢＴ），ポリフェニレンサルファイド（ＰＰＳ）等が適用され、これらの中でも硬質で引張り強さ，曲げ強さ，圧縮強さ及び弾性に優れたポリエチレンテレフタレート（ＰＥＴ）やポリプロピレン（ＰＰ）が好適に用いられ得る。また、合成ゴムとしては、ウレタンゴム，シリコーンゴム，スチレン‐ブタジエンゴム(SBR)，ニトリル‐ブタジエンゴム(NBR)，ブタジエンゴム，イソプレンゴム，クロロプレンゴム等が用いられ得る。
【００２４】
尚、復元スペーサー板部６は、弾性を有する合成樹脂または合成ゴムからなる取付板部４及び／または担持板部５と一体形成するようにしてもよい。
【００２５】
インレット保持体３は、担持板部５の表面側からの外力を受けない定常状態にあっては、図２（Ａ）に示すように、担持板部５が復元スペーサー板部６によって取付板部４から所定間隔で離間して保持されている。そして、担持板部５の表面側から外力を受けると、図２（Ｂ）に示すように、復元スペーサー板部６が圧縮変形し、担持板部５が取付板部４に近接する退避状態となる。また、担持板部５の表面側からの外力が除かれると、圧縮変形した復元スペーサー板部６に生じている弾発力によって、図２（Ａ）に示すように、担持板部５が取付板部４から所定間隔で離間する定常状態に復帰する。尚、定常状態において担持板部５が取付板部４から離間する間隔は１ｃｍ程度に設定することが好ましい。
【００２６】
図３（Ａ）に、被取付物７としての金属製コンテナの側壁の外面９にＲＦＩＤタグ１Ａを取付けた状態を示す。この状態にあっては、ＲＦＩＤインレット２を担持する非金属製の担持板部５が被取付物７の外面９から所定間隔で離間して保持される定常状態（図２（Ａ）参照）となり、送受信機能の低下が抑制されるため、ＲＦＩＤインレット２によるデータの送受信を支障なく行わせることができる。
【００２７】
一方、被取付物７の運搬時や保管時においては、図３（Ｂ）に示すように、ＲＦＩＤタグ１Ａが取付けられた被取付物７の外面９を、ＲＦＩＤタグ１Ａを介して他の被取付物７の外面９やトラックの荷台の壁面２１（或いは建造物の壁面）に押し当てると、担持板部５の表面側から加わる外力によって復元スペーサー板部６が圧縮変形し、担持板部５が取付板部４に近接する退避状態（図２（Ｂ）参照）となる。これによりＲＦＩＤタグ１Ａの厚みが薄くなり被取付物７の外面９からの突出幅が小さくなるため、ＲＦＩＤタグ１Ａの厚さに起因する被取付物７の嵩張りを解消することができる。また、外力が除かれると、圧縮変形した復元スペーサー板部６に生じている弾発力によって、担持板部５が取付板部４から所定間隔で離間する定常状態（図２（Ａ）参照）に自動的に復帰させることができる。
【００２８】
図４は、第一実施例の第一の変形実施例を示し、この第一の変形実施例は、取付板部４と担持板部５の辺縁を繋ぐ復元スペーサー板部６を、前後方向または左右方向で対向する側部の二箇所に配設したものである。このように復元スペーサー板部６は、前後方向または左右方向で対向する側部の二箇所に少なくとも一対で設けられていればよい。
【００２９】
図５は、第一実施例の第二の変形実施例を示し、この第二の変形実施例は、図５（Ａ）に示すように、担持板部５の前後方向または左右方向で対向する二辺縁に復元スペーサー板部６を一対で配設し、各復元スペーサー板部６の下端に帯板状の取付板部４を連成したものである。このように取付板部４は必ずしも担持板部５と同一形状に形成する必要はなく、インレット保持体３を金属製の被取付物７（図５（Ｂ）参照）の外面９に取付け得る形状であればよい。
【００３０】
図６は、第一実施例の第三の変形実施例を示し、この第三の変形実施例は、担持板部５の裏面の前後または左右の二箇所に、弾性を有する合成樹脂板または合成ゴム板を用いて形成した断面略六角形を呈する弾性枠体１０Ａ，１０Ａを夫々配設したものであって、各弾性枠体１０Ａの天板部１１が担持板部５の裏面に接合されており、各弾性枠体１０Ａの矩形状底板部分を取付板部４とし、く字形に屈曲して取付板部４と天板部１１を繋ぐ二つのく字形に屈曲した帯板部分を復元スペーサー板部６としたものである。尚、弾性枠体１０Ａは、担持板部５の裏面の前後及び左右の四箇所に配設することも可能である。
【００３１】
かかる構成にあっても、インレット保持体３は、担持板部５の表面側からの外力によって復元スペーサー板部６が圧縮変形して担持板部５が取付板部４に近接する退避状態となり、外力が除かれると、圧縮変形した復元スペーサー板部６に生じている弾発力によって担持板部５が取付板部４から所定間隔で離間して定常状態に復帰するものとなる。
【００３２】
図７（Ａ）は、第一実施例の第四の変形実施例を示し、この第四の変形実施例は、担持板部５の裏面の前後または左右の二箇所に、弾性を有する合成樹脂板または合成ゴム板を用いて形成した断面略Ｚ字形を呈する一対の弾性体１０Ｂ，１０Ｂを夫々配設したものであって、各弾性体１０Ｂの天板部１１が担持板部５の裏面に接合されており、各弾性体１０Ｂの矩形状底板部分を取付板部４とし、該取付板部４と天板部１１を繋ぐ傾斜した帯板部分を復元スペーサー板部６としたものである。尚、一対の弾性体１０Ｂ，１０Ｂは、担持板部５の裏面の前後及び左右の四箇所に配設することも可能である。また、図７（Ｂ）に示すように、各弾性体１０Ｂの矩形状底板部分１２を、担持板部５と同一形状に形成した取付板部４に接合する構成とすることも可能である。
【００３３】
尚、前記第一実施例及び各変形実施例にあって、インレット保持体３は矩形の立体形状に限定されるものではなく、その他の円形，三角形，多角形等の立体形状としてもよい。
【００３４】
図８，図９は、第二実施例を示し、この第二実施例のＲＦＩＤタグ１Ｂは、インレット保持体３の側部を覆う保護カバー体１３を備えている。保護カバー体１３は、担持板部５の上面に固着される基板部１４の四辺縁から斜め下方に延成されてインレット保持体３の側部を囲繞する截頭角錐状の傾斜板部１５を備えており、該傾斜板部１５の四箇所のコーナー部分が切込み１６によって分断されている。傾斜板部１５は、担持板部５が取付板部４から離間して保持される定常状態（図９（Ａ）参照）にあるときに、金属製の被取付物７の外面９に当接する長さに形成されている。この保護カバー体１３の素材には、上述した弾性変形可能な合成樹脂や合成ゴムが用いられる。尚、このような保護カバー体１３を設ける場合には、ＲＦＩＤインレット２を担持板部５の表面側に固定することも可能である。
【００３５】
かかる構成にあって、インレット保持体３が退避状態（図９（Ｂ）参照）と定常状態（図９（Ａ）参照）とに選択的に変化すると、保護カバー体１３がその弾性変形作用を介してインレット保持体３の状態変化に追従する。これにより、インレット保持体３の側部を保護カバー体１３によって常時覆うことができるため、インレット保持体３に側方から加わる衝撃と、インレット保持体３内への異物の侵入とを防止することができるとともに、担持板部５に担持されたＲＦＩＤインレット２を保護することができる。
【００３６】
図１０は、第三実施例を示し、この第三実施例のＲＦＩＤタグ１Ｃは、担持板部５を取付板部４から離間させる方向に付勢し、かつ定常状態に復帰させる補助付勢手段を備えている。補助付勢手段は、取付板部４と担持板部５間に介装されたばね１７からなり、該ばね１７には金属製または合成樹脂製のばねが用いられ得る。ここで、図示した実施例ではコイルばねからなる四個のばね１７を、平板矩形状に形成された取付板部４及び担持板部５の四隅位置に配設しているが、担持板部５を取付板部４から均等に離間させる付勢作用が得られるのであれば、ばね１７の数及び配設位置はこれに限定されるものではない。また、コイルばねに代えて板ばねを用いることも可能である。
【００３７】
かかる構成にあっては、ばね１７からなる補助付勢手段によって担持板部５を退避状態から定常状態へ迅速かつ確実に復帰させることができる。
【００３８】
図１１は、第四実施例を示し、この第四実施例のＲＦＩＤタグ１Ｄは、担持板部５を退避状態に保持するストッパー１８，１８を備えている。該ストッパー１８，１８は、担持板部５の上面の辺縁近傍に前後または左右一対で配設されている。各ストッパー１８は略コ字形のフックからなり、該フックの一端が担持板部５の上面の辺縁近傍に固着された取付部材１９を介して上下方向に回動可能に枢結されている。また、取付板部４の辺縁には前記ストッパー１８，１８の他端が係合可能な一対の係合溝２０，２０が形成されている。
【００３９】
かかる構成にあって、ストッパー１８，１８を使用するには、担持板部５を表面側から押圧して該担持板部５が取付板部４に近接する退避状態とし、この状態でストッパー１８，１８の他端を取付板部４の係合溝２０，２０に係合させることにより、図１１（Ｂ）に示すように、担持板部５を退避状態に保持することができる。これにより、被取付物７の運搬時や保管時以外でも、ＲＦＩＤインレット２によるデータの送受信を行う必要がないときには、ストッパー１８，１８によって担持板部５を退避状態に保持することにより、ＲＦＩＤタグ１Ｄが被取付物７の外面９から大きく突出しないため、定常状態において被取付物７の外面９から突出するＲＦＩＤタグ１Ｄが周辺のものと衝突することによって発生するＲＦＩＤタグ１Ｄの脱落或いは破損や故障を未然に防止することができる。
【００４０】
尚、上述した第四実施例にあっては、ストッパー１８，１８を担持板部５に配設し、係合溝２０，２０を取付板部４に配設するようにしているが、このストッパー１８，１８と係合溝２０，２０の配置関係を逆にすることも可能である。また、ストッパー１８，１８を略コ字形のフックとしたが、これに代えて一対の平帯体の先端に面ファスナーを設けたものや、一対の平帯体の先端に係脱可能なホックを設けたものであってもよい。
【符号の説明】
【００４１】
１Ａ〜１Ｄ  ＲＦＩＤタグ
２  ＲＦＩＤインレット
３  インレット保持体
４  取付板部
５  担持板部
６  復元スペーサー板部
７  被取付物
９  外面
１３  保護カバー体
１７  ばね（補助付勢手段）
１８  ストッパー
【図１】
2010262538.tif 000003
【図２】
2010262538.tif 000004
【図３】
2010262538.tif 000005
【図４】
2010262538.tif 000006
【図５】
2010262538.tif 000007
【図６】
2010262538.tif 000008
【図７】
2010262538.tif 000009
【図８】
2010262538.tif 000010
【図９】
2010262538.tif 000011
【図１０】
2010262538.tif 000012
【図１１】
2010262538.tif 000013